(57)【要約】      （修正有）【課題】栽培施設内に全面散水できる散水チューブを提供する。【解決手段】散水チューブ６のほぼ全周面に亘って、複数の抜き穴からなる散水孔９、１０を、散水チューブ６の長手方向に略等間隔に複数設ける。栽培施設室内、頭上にその長手方向に向かって直進する互いに均等に離間した一対の散水チューブを懸架設置し、散水を行う。【選択図】図４
0003180514.tif 000002
【実用新案登録請求の範囲】
【請求項１】
栽培施設室内の地面、栽培床及び農作物に散水、灌水する汎用性ポリエチレンチューブであって、前記栽培施設の頭上にその長手方向に沿って直進する互いに均等に離間した散水チューブを懸架設置し、ポンプにより圧送された水を前記栽培施設全面に多量であり、しかも均一に散水することを特徴とした散水チューブ。
【請求項２】
前記散水チューブ延長上に８０ｍｍ〜１５０ｍｍの所定間隔毎に散水部を設けた前期部所には前期散水チューブ折面中央で両面に散水孔を設け長手方向に交差した形で一列３つの孔の内、中央孔を中心として略直線上両側に均等な間隔で２つの孔を形成し前記散水チューブ長手方向に隣接した前記孔同様に形成された孔との間でチドリ状の形に孔を設けたことを特徴とする散水チューブ。
【請求項３】
前記孔は前記散水チューブ延長上で長手方向に、角度を持った形で交差した直線上に前記３つの散水孔は均等な間隔で配置されている請求項２の散水チューブ。
【請求項４】
３つの散水孔の内、中央部に設けた孔により全面均一散水を可能としたものであり、又散水終了後前記散水チューブ下方となる中央孔より前記散水チューブ内に残る水が速やかに落下してチューブ内残水により藻の繁茂やチューブの高温劣化など防ぐ請求項２及び請求項３の散水チューブ。
【請求項５】
前記散水チューブはチューブ折面に所定の間隔で中央部に散水孔が形成されている請求項１から請求項４の散水チューブ。
【考案の詳細な説明】
【技術分野】
【０００１】  本考案は栽培施設用頭上散水チューブに関する。
【背景技術】
【０００２】  従来、灌水を目的にしたチューブで地面及び栽培床に設置され作物専用灌水が行われていた。作物栽培作業初期、終期には地面，栽培床の整地など行うたびチューブを外し、設置するなど作業が混み合い重労働感を否めない。【０００３】  又、栽培施設地面全体に均等に水量の確保ができる頭上散水チューブは特許文献１散水チューブによれば、チューブ本体の外側に連続して形成されたフックが掛かる固定用耳部を有してなるもが開示されている。【０００４】  特許文献１に開示された散水チューブによれば施設骨組みに簡易に吊り下げ固定や、地上固定される。【０００５】  当該散水チューブは固定するもではなく市販のハンガーにより自由に取り外しができ、１ｍ以上の間隔で吊り下げ散水チューブとハンガーは個別に移動可能で、固定するものではない。例えば花卉の葉洗浄等行う場合は、必要な時は設置し終了後は取り外すことができ、また太陽光による劣化も防げる。
【特許文献１】特開２００６−１９４３１０号広報
【考案の概要】
【考案が解決しようとする課題】
【０００６】  栽培施設作業は機械の出入り、頻繁に作業者の出入りが激しく床面に散水、灌水チューブが設置されているため作業の障害となり配管も複雑になり費用的にも嵩む問題がる。【０００７】  栽培施設内地面土壌は降雨が無いため乾燥が激しく、土壌塩基の上昇が有り作物に障害が出る、そのためには大量の散水が必要となる、しかし従来の散水チューブでは水量が少なく、しかも地面土壌全体に均等に水量の確保が出来ず土壌水分差により作物の生育量、生育速度の違いが出て出荷数量が整わず製品価格に影響を及ぼし効率的な作業が望めない課題があった。【０００８】  本考案は、以上のような課題を鑑みて成されたものであり、生育環境、管理作業を多く依存する栽培施設内で効率的な作業性を高めた散水チューブを提供することを目的とする。
【課題を解決するための手段】
【０００９】  （１）栽培施設室内の地面、栽培床及び農作物に散水、灌水する汎用性ポリエチレンチューブであって、前記栽培施設室内、頭上にその長手方向に沿って直進する互いに均等に離間した一対の散水チューブを懸架設置し、動力ポンプにより圧送された水を栽培施設内全面に散水することを特徴とした散水チューブ。【００１０】  （２）前記散水チューブ延長上に８０ｍｍ〜１５０ｍｍの所定間隔毎に散水部を設けた前期部所には前期散水チューブ折面中央で両面に散水孔を設け長手方向に交差した形で一列３つの散水孔の内、中央孔を中心として略直線上両側に均等な間隔で２つの孔を形成し前記散水チューブ長手方向に隣接した前記孔と同様に形成された孔との間でチドリ状に孔を設けた散水チューブ。【００１１】  （３）前記孔部は前期散水チューブ延長上で長手方向に、角度を持った形で交差した直線上に前記３つの散水孔は均等な間隔で配置されている（２）の散水チューブ。【００１２】  （４）３つの散水孔の内、中央部に設けた孔により全面均一散水を可能としたものであり、又散水終了後前記散水チューブ下方となる中央孔により前記散水チューブ内に残る水が速やかに落下してチューブ内残水により藻の繁茂やチューブの高温劣化など防ぐとする（２）、（３）の散水チューブ。
【考案の効果】
【００１３】  （１）の考案は散水チューブを頭上に設置することにより室内空間を広げ地面上に障害物がないため作業性の向上が高まり、散水位置が高くなることにより全面散水が容易になり、またチューブは大量生産が可能であり安価であり交換作業も簡単である。【００１４】  （２）の考案は７０ｍが延長で圧送に耐える長さであると言われる。一定の水圧によって運ばれた水は散水チューブ６に設けられた散水孔９，１０より散水対象領域の全面に均一散水されたため、水滴の着地点において地表面に達した水滴のむらを防ぐことができる。また散水チューブは吊ロープとチューブハンガーで懸架されるが間隔が１．８ｍ〜２ｍとなり大きな弛みができ、散水孔の向きが変化するも３孔チドリ状形成により全面散水に変化はない。【００１５】  （３）の考案は散水孔の配列組み合わせにより散水量は短時間で確保され３列の孔の特に中央部設けた孔により栽培施設内地床面には均等な水量が確保され栽培作物においても形態均一が確認された。【００１６】  （４）の考案は散水孔より散水された水滴の着地点において地表面に達した水滴移動の課題の解決でありチューブ内に残った水を作業通路に落下させ作物に影響を及ぼさない。【００１７】  （５）特に砂丘地栽培施設内の乾燥状態にある砂状の地面、栽培床の栽培施設室内の均一散水量の確保を目的にしたものである。【００１８】  作物栽培地に於ける砂地と土状の保水について説明する。砂地は粒子が粗く着地した水滴は直線的に土壌内部へ浸透するも横に浸透水の移動がなく着水部分のみ保水が高まる、一方土状の粒子は細かく着地した水滴は横方向に伸び面積を広げながら土壌に浸透する。このように地面上の保水環境の違いが作物の生長に変化が見られるも本考案の散水チューブにより生産作物の砂地状での生育の平均化を確認することが出来る。
【図面の簡単な説明】
【００１９】
【図１】本考案の一実施形態による栽培施設内散水チューブの設置形態の斜視図である。
【図２】前記実施形態の平面図である。
【図３】前記実施形態の構成を示す部分正面図である。
【図４】前記実施形態の散水チューブ散水孔の配置を示す散水チューブの片面図である。
【図５】前記実施形態の散水チューブの散水孔配置断面図である。
【図６】従来技術のノズルによる円形散水の構成を示す平面図である。
【考案を実施するための最良の形態】
【００２０】  以下、本考案の実施形態について図面を用いて説明する。なお、本考案の実施形態は、下記の実施形態に何ら限定されることなく、本考案の技術的範囲は、これに限定されるものではない。【００２１】  ［散水チューブの全体構成］
散水チューブ６は栽培施設１内、またはビニールハウス内において頭上中空に散水設備２が設置される。図１、図２では二列平行に設置されているが、間口が広い栽培施設では散水幅による列間Ｆを取れば列数を選ばない、ただし加圧ポンプ１７能力、及び散水チューブの延長に制限される。【００２２】  散水チューブ６は栽培施設長手方向直線に吊り線３を張り散水チューブの弛みが最も少ない間隔で吊りロープ４散水チューブハンガー５を調整設置する。一対に置ける二列目は散水幅Ｆを守り設置始点より設置終点まで均等な列間を維持して設置すると共に作業中機械等の高さを考慮に入れて地面８よりの高さを設定する。また散水が終了すると散水チューブ６内に残る水が大きな水滴となって落下し、作物に影響のないように散水チューブ６の直下に通路など儲け障害と成らないことが必要である。【００２３】  図３は散水チューブ６の配置例である。吊線３を張り、吊ロープ４を散水チューブ６が最も弛みの出ない間隔で結び市販の散水チューブ吊ハンガー５を取り付ける。散水チューブ６を散水チューブ吊ハンガー５に折り面１１水平に捩れなく散水孔部７を避け上下差は嫌わないがなるべく水平に設置することが望ましい。長手方向延長は圧送ポンプ１７の能力と一致するようにすると良い。【００２４】  ３孔が配置された箇所の散水孔部７は長手方向に角度を持って交差し孔１０中央孔９孔１０は略直線状に配され孔１０と中央孔９、中央孔９と孔１０の間隔は隣接する次の孔部１０とはチドリ状の配置となり、散水チューブに通水されると円筒形１２となり噴出する水は方向を選ばず全面散水が可能となる。【００２５】  散水チューブ６孔の作成は針で両面貫通されている。散水孔作成は、パンチ孔レーザー孔とあるが円形でバリもなく通水に障害なく水量が確保される、一方針孔はバリが通水の障害と成るため一孔水量がレーザー孔に劣るため散水距離を長くとる事ができる。又針孔のバリを通過する水は拡散し全面均一散水の助けとなる。【００２６】  図６は市販のハンガースプレイ１３、回転ノズル１４の散水イメージである。頭上散水機で栽培施設に固定して設置され、ノズル１４の交換で散水量、幅が変えられる。しかし円形の散水着地点１６は変化せず重複保水箇所１５が点在し砂地での栽培作物は均一な生育とならない。【００２７】  本考案の散水チューブは利用方法が拡大する、花卉栽培において草丈のある葉に付着したホコリ、花粉など頭上散水チューブで洗浄可能となる。施設の設備では地下水利用のウォーターカーテンで夏季は冷却、冬季は暖房として使用できる。さらに土壌消毒、液体肥料散布など散水チューブが安価であり取り外し移動が簡単であるとしたことが利用価値を高める。
【符号の説明】
【００２８】１  栽培施設
２  散水設備
３  張り線
４  吊ロープ
５  散水チューブハンガー
６  散水チューブ
７  散水孔部
８  地面（栽培床）
９  中央孔
１０  隣接孔
１１  チューブ折
１２  通水時円筒形
１３  ハンガースプレイ
１４  ノズル
１５  散水重複地面
１６  散水円外周
【図１】
0003180514.tif 000003
【図２】
0003180514.tif 000004
【図３】
0003180514.tif 000005
【図４】
0003180514.tif 000006
【図５】
0003180514.tif 000007
【図６】
0003180514.tif 000008
【手続補正書】
【提出日】平成24年10月5日(2012.10.5)
【手続補正１】
【補正対象書類名】実用新案登録請求の範囲
【補正対象項目名】全文
【補正方法】変更
【補正の内容】
【実用新案登録請求の範囲】
【請求項１】
栽培施設室内の地面，栽培床及び農作物に散水、灌水する汎用性ポリエチレンチューブであって、前記栽培施設の頭上にその長手方向に沿って直進する互いに均等に離間した散水チューブを懸架設置し、ポンプにより圧送された水を前記栽培施設全面に多量かつ均一に散水する散水チューブにおいて、当該散水チューブのほぼ全週面に亘って複数の抜き穴からなる散水孔を穿設し、前記散水孔は前記散水チューブ長手方向に略等間隔かつ列状に複数設けられていることを特徴とする散水チューブ。
【請求項２】
前記散水孔は、前記散水チューブ延長上で長手方向に８０ｍｍ〜１５０ｍｍの所定間隔毎に少なくとも３列穿説されており、かつ折径方向で中央列に穿設された中央孔とこれに隣接する散水孔を略チドリ状に配置したことを特徴とする請求項１記載の散水チューブ。
【請求項３】
前記散水孔は、前記散水チューブ長手方向にすくなくとも３列チドリ状に配置されているとともに、各列の散水孔は折径方向で互いにほぼ等間隔に配置されていることを特徴とする請求項１又は請求項２記載の散水チューブ。
【請求項４】
前記チドリ状に配置された前記散水孔は、折径方向最下部に、中央孔又は隣接する散水孔のいずれか一つの散水孔が列状に配置されていることを特徴とする請求項１から請求項３記載の散水チューブ。
【請求項５】
前記チドリ状に３列配置された散水孔は、折径方向中央に穿設された散水孔を中央孔とし、その上方向の散水孔を上部散水孔とし、下方向の散水孔を下部散水孔とし、中央孔を中心として上下部散水孔が１８０度反対方向に位置することを特徴とする請求項１から請求項４記載の散水チューブ。
【手続補正２】
【補正対象書類名】明細書
【補正対象項目名】全文
【補正方法】変更
【補正の内容】
【考案の詳細な説明】
【技術分野】
【０００１】  本考案は栽培施設用頭上散水チューブに関する。
【背景技術】
【０００２】  従来、灌水を目的にしたチューブで地面及び栽培床に設置され作物専用灌水が行われていた。作物栽培作業初期、終期には地面，栽培床の整地など行うたびチューブ等設備を外し再び設置するなど作業が混み合い重労働感を否めない。【０００３】  又、栽培施設に散水できる特許文献１記載の頭上散水チューブによれば、チューブ本体の外側に連続して形成されたフックが掛かる固定用耳部を有したものが開示されている。【０００４】  特許文献１に開示された散水チューブによれば施設骨組みに簡易に吊り下げ固定や、地上固定される。【０００５】  当該散水チューブは栽培施設に固定するもではなく市販の散水チューブ吊り下げハンガーにより自由に取り外しができ、チューブ長手方向に１ｍ以上の間隔で吊り下げ可能となる。散水チューブとハンガーは個別に取り外し移動可能で、固定するものではない。例えば花卉の葉洗浄等行う場合は、必要な時は設置し終了後は取り外すことができる。
【特許文献１】特開２００６−１９４３１０号公報
【考案の概要】
【考案が解決しようとする課題】
【０００６】  栽培施設は頻繁に作業機械及び作業者の出入りが激しく床面に散水、灌水チューブが設置されているため作業の障害となり、又散水用配管も複雑になり費用的にも嵩む課題がある。【０００７】  栽培施設内地面はビニール等の屋根材で覆われているため降雨が無く乾燥が激しく、土壌塩基濃度の上昇が認められ作物に塩基障害が出る。塩基障害を抑止するには大量の散水が必要となる、しかし特許文献１記載の散水チューブでは水量が少なくしかも地面土壌全体に均等に水量の確保は難しいと思われる。また通常の懸架方式散水では土壌水分差により作物の生育量、生育速度の差が現れ出荷数量及び形態が整わず販売価格に影響を及ぼすこととなり、又効率的な作業が望めない課題があった。【０００８】  本考案は、以上のような課題を鑑みて成されたものであり、生育環境、管理作業に多く依存する栽培施設内で効率的な作業性を高めた散水チューブを提供することを目的とする。
【課題を解決するための手段】
【０００９】  （１）栽培施設室内の地面、栽培床及び農作物に散水、灌水する汎用性ポリエチレンチューブであって、前記栽培施設室内、頭上にその長手方向に沿って直進する互いに均等に離間した一対の散水チューブを懸架設置し、ポンプにより圧送された水を前記栽培施設内全面に多量かつ均一に散水する散水チューブにおいて、当該チューブのほぼ全集面に亘って複数の突き穴からなる散水孔を穿設し当該散水孔は散水チューブ長手方向に略等間隔かつ列状に複数設けられていることを特徴とした散水チューブ。【００１０】  （２）前記散水孔は、前記散水チューブ延長上に８０ｍｍ〜１５０ｍｍの所定間隔毎に少なくとも３列穿設されており、かつ折径方向で中央列に穿設された中央孔とこれに隣接する散水孔を略チドリ状に配置したことを特徴とした（１）記載の散水チューブ。【００１１】  （３）前記散水孔は、前記散水チューブ長手方向に少なくとも３列チドリ状に配置されているとともに、各列の散水孔は折径方向で互いにほぼ等間隔に配置されていることを特徴とする（１）、（２）記載の散水チューブ。【００１２】  （４）前記チドリ状に３列配置された散水孔は、折径方向最下部に、中央孔又は隣接する散水孔いずれか一つの散水孔が列状に配置されていることを特徴とする（１）から（３）記載の散水チューブ。【００１３】  （５）さらに、前記チドリ状に３列配置された散水孔は、折径方向中央に穿設された散水孔を中央孔とし、その上方の散水孔を上部散水孔とし、下方向の散水孔を下部散水孔とし、中央孔を中心として上下部散水孔が１８０度反対方向に位置することを特徴とする（１）から（４）記載のいずれかの散水チューブ。
【考案の効果】
【００１４】  （１）の考案は散水チューブを頭上に設置し高さを取ることで散水飛翔距離が得られ全面散水が容易になる。さらに室内作業空間が広がり地面上に障害物がないため作業性の向上が高まり、またチューブは大量生産が可能であり安価であり交換作業も簡単である。【００１５】  （２）の考案は当該散水チューブの強度、ポンプ送圧を鑑みて約７０ｍの延長で送圧に耐える長さであると言われる。一定の水圧によって送られた水は散水チューブに設けられた散水孔より散水対象領域の全面に均一散水されるため、水滴の着地点において地表面に達した水滴のむらを防ぐことができる。また散水チューブは吊ロープとチューブハンガーで懸架される散水チューブ間隔が１ｍ〜２ｍを取ることとなり大きな弛みができる。しかしながら散水孔の向きが変化しても３孔チドリ状穿設によって全面散水の目的に代わりは無い。【００１６】  （３）の考案は散水孔の配列組により散水量は短時間で確保され３列の孔の特に中央部設けた孔により栽培施設内地地面には均等な水量が確保され栽培作物においても形態均一が確認された。【００１７】  （４）の考案は散水孔より散水された水滴の着地点において土状、砂状の地表面に達した水滴移動による保水量均一の課題解決が得られた。又散水終了時にチューブ内残水が作業通路に落下し水滴が作物に影響を及ぼさない設置が好ましい。しかもチドリ状３列に配置されたことにより通水時円筒形状のチューブが通水停止で扁平に戻る過程でも常に最下部にいずれかの散水孔が当たり残水は無く、収納や移動等が容易になる。【００１８】  （５）特に砂丘地栽培施設内の乾燥状態にある砂状の地面、栽培床の栽培施設室内の均一散水量の確保を目的にしたもので中央孔として穿設した孔は、チューブ延長及び設置孔数による水量、水圧のバランスを考察し本考案に至ったものである。【００１９】  作物栽培地に於ける砂状地と土状地の保水効果の違いについて説明する。砂状地は粒子が粗く着地した水滴は直線的に土壌内部下方に浸透して横方向に水の移動がなく着水地部分のみ保水が高まる、一方、土状地は細粒子で着地した水滴は一旦地面上に留まり面積を広げながら土壌に浸透する。このように地面地質及び地中地質環境の違いで作物の生長に大きく差異が見られる。本考案の散水チューブにより生産作物の砂地状での均一保水により栽培作物で生育の平均化を確認し施設型栽培経営に貢献可能となる。
【考案を実施するための最良の形態】
【００２０】  以下、本考案の実施形態について図面を用いて説明する。なお、本考案の実施形態は、下記の実施形態に何ら限定されることなく、本考案の技術的範囲は、これに限定されるものではない。【００２１】  ［散水チューブの全体構成］
散水チューブ６は栽培施設１内、またはビニールハウス内において頭上中空に散水設備２が設置される。図１、図２では二列平行に設置されているが、間口が広い栽培施設では散水幅による列間Ｆを取れば列数を選ばない、ただし加圧ポンプ１７能力、及び散水チューブの延長に制限される。【００２２】  散水チューブ６は栽培施設長手方向直線に吊り線３を張り散水チューブの弛みが最も少ない間隔で、吊りロープ４散水チューブハンガー５を調整設置する。一対に置ける二列は散水幅Ｆを守り設置始点より設置終点まで当該チューブの蛇行を最小限に留め均等な列間を維持して設置すると共に作業機械等の高さを考慮に入れて地面８からの高さを設定する。また散水が終了すると散水チューブ６内に残る水が大きな水滴となって落下し、作物に影響が出ないように散水チューブ６の直下に通路など設け作物への障害と成らないことが必要である。【００２３】  図３は散水チューブ６の配置例である。吊線３を張り、吊ロープ４を散水チューブ６が最も弛みの出ない間隔で結び市販の散水チューブ吊ハンガー５を取り付ける。散水チューブ６を散水チューブ吊ハンガー５に扁平（非通水時）した散水チューブ６を上下方向略水平、又は略垂直に取り付けるが、この時吊ハンガー５は散水孔部７を避け、上下差は嫌わないがなるべくチューブ延長方向水平に設置することが望ましい。長手方向延長は圧送ポンプ１７の能力と一致するようにすると良い。【００２４】  ３孔が配置された箇所の散水孔部７は長手方向に角度を持って交差し孔１０中央孔９孔１０は略直線状に配され孔１０と中央孔９、中央孔９と孔１０の間隔は隣接する次の孔部１０とはチドリ状の配置となり、散水チューブに通水されると円筒形１２となり噴出する水は方向を選ばず全面散水が可能となる。【００２５】  散水チューブ６孔の作成は１８０度反対側にも穿設されている。散水孔作成はパンチ孔、レーザー孔等あるが、これらの方法での孔は円形でバリもなく噴出水は障害なく孔を通過し水量の確保は容易で送水量、送水圧とも多く必要となるがポンプ等の要件を満たせば良好な散水となる。一方、針穿設孔はバリが残り、水噴出時にバリが通水の障害と成るため一孔水量がレーザー孔等に劣るため散水延長距離を長くとる事ができ、又針孔のバリを通過する水は拡散し全面均一散水補助の利点もある。また、散水孔作成方法によって変化する散水量、散水幅はポンプ送水圧能力に左右される。【００２６】  図６は市販のハンガースプレイ１３、回転ノズル１４の散水イメージである。頭上設置用散水機で栽培施設に固定して設置され移動には多大な労力を必要とする。通水菅等はアルミなどで成型され連結金具も多く高価であるがノズル１４の交換で散水量、幅が変えられる利点もある。しかし円形状の散水着地点１６は変化せず重複保水箇所１５が点在し砂地での栽培作物は均一な生育は望めない。【００２７】  本考案の散水チューブは利用方法が拡大する、花卉栽培において草丈のある葉に付着したホコリ、花粉など出荷時品質向上のため頭上散水チューブで洗浄可能となる。施設の設備では地下水利用のウォーターカーテンで夏季は冷却、冬季は補助暖房として使用できる。さらに土壌消毒、液体肥料散布など使用方法は多岐に亘り、しかも本考案の散水チューブは大量生産により安価であり、交換取り外し移動が簡単に行うことが出来、利用価値が高まるものと思われる。
【図面の簡単な説明】
【００２８】
【図１】本考案の実施形態による栽培施設内散水チューブ設置形態の斜視図である。
【図２】前記実施形態の平面図である。
【図３】前記実施形態の構成を示す部分正面図である。
【図４】前記実施形態の散水チューブ３孔の配置を示す散水チューブ片面図である。
【図５】前記実施形態の散水チューブの散水孔配置断面図である。
【図６】従来技術のノズルによる円形散水状態を示すイメージ図である。
【符号の説明】
【００２９】１  栽培施設
２  散水設備
３  張り線
４  吊ロープ
５  散水チューブハンガー
６  散水チューブ
７  散水孔部
８  地面（栽培床）
９  中央孔
１０  隣接孔
１１  チューブ折
１２  通水時円筒形
１３  ハンガースプレイ
１４  ノズル
１５  散水重複地面
１６  散水円外周